(57)【要約】  システムは追跡技術および統一コマースエンジン（ＵＣＥ）との組み合わせで完全に自動化された供給網を備える。このようなシステムにより全ての商品（または単品）の正確な所在をメーカーの施設から顧客のバッグまで追跡することが可能になる。一例によると、この供給網は一または二以上の入ってくる（ｉｎｃｏｍｉｎｇ）パレットを引き取るように構成されたＲＤＣロボティックオートメーションを備えた地域流通センターを有する注文処理システムおよび商品の各ケースが共通の単品を含んでいる共通の商品のケースを複数有する単品のパレット、さらに商品の共通のケースを取り出し、格納するように構成されたＲＤＣロボティックオートメーション、さらに流通センターの注文に応答して一または二以上の出ていく（ｏｕｔｇｏｉｎｇ）パレットを提供するように構成されたＲＤＣロボティックオートメーションおよび混載された商品のケースを複数有する単品の出ていくパレット、出ていくパレットのうち一または二以上を受け取るように構成されたＭＤＣロボティックオートメーションを有するマーケット流通センターおよびさらに一または二以上の出ていくパレットから混載された商品のケースを取りだす用に構成されたＭＤＣロボティックオートメーション、ならびにさらにＭＤＣストレージシステム内の混載された商品のケースの各々から単品を取り出し、格納するように構成されたＭＤＣロボティックオートメーションおよびさらにマーケットの注文に応答して注文トートを満たすように構成されたＭＤＣロボティックオートメーションを備える。ＭＤＣロボティックオートメーションはさらにマーケットの販売速度に柔軟に一致する共通または異なる注文トートおよびサブトートを複数用いてマーケットの注文を処理するように構成される。【選択図】図１
2020508526.tif 000002
【特許請求の範囲】
【請求項１】
単品のエンドツーエンド追跡のための完全に自動化された安全な供給網であって、
メーカーから単品を受け取り、マーケットに前記単品を配送するための一または二以上の流通センターと、
前記一または二以上の流通センターと前記マーケットとの間の出荷のために単品を分類するための前記一または二以上の流通センターにおける複数のロボットと、
前記単品に関する識別情報をキャプチャするために前記複数のロボットに含まれるかまたはそれに関連付けられる複数の追跡センサと、
前記追跡センサから前記識別情報を受け取り、格納するための統一コマースエンジンを備える追跡システムであって、前記識別情報を使用して前記一または二以上の流通センターの各々にある単品の所在を追跡する前記追跡システムと、
を備え、
前記複数のロボット、複数の追跡センサおよび追跡システムにより前記メーカーからの配送から前記マーケットへの配送までの完全なトレーサビリティおよび単品の安全性が保証される、
完全に自動化された安全な供給網。
【請求項２】
前記追跡システムが前記供給網に含まれた前記単品に関連する前記メーカーにデータを示すように構成され、前記データが供給網全体のあらゆる段階における前記所在、在庫レベル、在庫速度、販売レベルのうち少なくとも一つを備える、請求項１に記載の完全に自動化された安全な供給網。
【請求項３】
前記マーケットからの単品の注文が前記追跡システムに格納される、請求項１に記載の完全に自動化された安全な供給網。
【請求項４】
前記マーケットにおける単品の販売が前記追跡システムに格納される、請求項１に記載の完全に自動化された安全な供給網。
【請求項５】
前記一または二以上の流通センターがデカンティングステーションを備え、単品の出荷がケースからトートおよびサブトートのうち少なくとも一つまで分解される、請求項１に記載の完全に自動化された安全な供給網。
【請求項６】
前記複数のロボットが単品のケースをトートおよびサブトートのうち少なくとも一つまで分解するためのデカンティングロボットを備える、請求項５に記載の完全に自動化された安全な供給網。
【請求項７】
前記複数の追跡センサが前記一または二以上の流通センターに到着する単品を追跡し、識別するために前記デカンティングロボットの一部であるかまたはそれに関連付けられた追跡センサを備える、請求項６に記載の完全に自動化された安全な供給網。
【請求項８】
前記一または二以上の流通センターが地域流通センターおよびマーケット流通センターを備え、単品を前記マーケット流通センターから前記マーケットに出荷する、請求項１に記載の完全に自動化された安全な供給網。
【請求項９】
単品が前記マーケットの販売速度に一致するトートおよびサブトートのうち少なくとも一つで前記マーケットに出荷される、請求項１に記載の完全に自動化された安全な供給網。
【請求項１０】
前記一または二以上の流通センターがマーケット流通センターを備える、請求項１に記載の完全に自動化された安全な供給網。
【請求項１１】
前記マーケット流通センターが単品のケースを備えるパレットを受け取るように構成された一または二以上のロボットの第一のグループと、前記ケースから単品を取り出し、前記単品を格納するように構成された一または二以上のロボットの第二のグループと、マーケットの注文を処理するために格納された単品を選択的に回収するように構成された一または二以上のロボットの第三のグループと、を備える、請求項１０に記載の完全に自動化された安全な供給網。
【請求項１２】
前記一または二以上のロボットの第三のグループがマーケットの注文に応答して混載された単品のサブトートを用いて注文トートを処理する、請求項１１に記載の完全に自動化された安全な供給網。
【請求項１３】
前記マーケット流通センターが前記マーケットの販売速度に柔軟に一致する共通または異なる注文トートを複数用いてマーケットの注文を処理する、請求項１１に記載の完全に自動化された安全な供給網。
【請求項１４】
前記マーケットが小売店および流通センターのうち一つを備える、請求項１に記載の完全に自動化された安全な供給網。
【請求項１５】
単品のエンドツーエンド追跡のための完全に自動化された安全な供給網であって、
メーカーから単品を受け取り、マーケットに前記単品を配送するための一または二以上の流通センターと、
複数の流通センターにおけるロボットであって、前記複数の流通センター間および流通センターと前記マーケットとの間の出荷のために単品の全ての分類および輸送を取り扱う複数のロボットと、
前記単品に関する識別情報をキャプチャするために前記複数のロボットに含まれるかまたはそれに関連付けられる複数の追跡センサと、
前記複数の流通センターの各々にある前記追跡センサから前記識別情報を受け取り、格納するための統一コマースエンジンを備える追跡システムと、
を備え、
前記複数のロボット、複数の追跡センサおよび前記追跡システムにより前記識別情報が使用されることで前記複数の流通センターのうち第一の流通センター内での受け取りから前記複数の流通センターのうち最後の流通センターまでの単品の所在の完全な追跡が保証され、
前記複数のロボットによる単品の完全な取り扱いおよび前記複数の流通センターにおける前記追跡システムによる追跡により前記複数の流通センターのうち第一の流通センター内での受け取りから前記複数の流通センターのうち最後の流通センターまでの前記単品の完全な安全性が保証される、
完全に自動化された安全な供給網。
【請求項１６】
前記複数の追跡センサが前記単品のケースが出荷されるパレットからのデータをキャプチャすることにより単品に関する識別情報をキャプチャする、請求項１５に記載の完全に自動化された安全な供給網。
【請求項１７】
前記複数の追跡センサが前記単品が出荷されるコンテナおよびサブトートのうち少なくとも一つからのデータをキャプチャすることにより単品に関する識別情報をキャプチャする、請求項１５に記載の完全に自動化された安全な供給網。
【請求項１８】
前記複数の追跡センサが前記単品が出荷されるケースからのデータをキャプチャすることにより単品に関する識別情報をキャプチャする、請求項１５に記載の完全に自動化された安全な供給網。
【請求項１９】
前記複数の流通センターのうち第一の流通センターが複数のパレットを受け取るためのデカンティングステーションを備え、単品が単品の同種のケースを備え、各々が単品の異種のケースを備える一または二以上のパレットを形成するために前記パレットを分解する、請求項１５に記載の完全に自動化された安全な供給網。
【請求項２０】
識別子が前記単品の異種のケースのうちの一または二以上のパレットの各々に割り当てられ、一または二以上の識別子が前記追跡システムにより追跡され、格納される、請求項１９に記載の完全に自動化された安全な供給網。
【請求項２１】
前記複数の流通センターのうち第二の流通センターが単品の異種のケースの前記一または二以上のパレットを受け取るためのデカンティングステーションを備え、単品を備える一または二以上のトートまたはサブトートを形成するために前記パレットを分解する、請求項１９に記載の完全に自動化された安全な供給網。
【請求項２２】
識別子が前記トートまたはサブトートの各々に割り当てられ、前記トートまたはサブトートの前記一または二以上の識別子が前記追跡システムにより追跡され、格納される、請求項２１に記載の完全に自動化された安全な供給網。
【請求項２３】
前記トートまたはサブトートへの前記単品の品揃えが前記マーケットの要求に基づいて設定される、請求項２１に記載の完全に自動化された安全な供給網。
【請求項２４】
前記メーカーが前記メーカーからの出発から前記マーケットでの顧客への販売まで前記単品の前記所在を追跡するように、前記追跡システムが前記メーカーによりアクセス可能である、請求項１５に記載の完全に自動化された安全な供給網。
【請求項２５】
前記複数の流通センターが地域流通センターおよびマーケットセンターを備える、請求項１５に記載の完全に自動化された安全な供給網。
【請求項２６】
単品が前記メーカーから前記地域流通センターまで、前記地域流通センターからマーケット流通センターまで、および前記マーケット流通センターから前記マーケットまで移動する、請求項２５に記載の完全に自動化された安全な供給網。
【請求項２７】
単品のエンドツーエンド追跡のための完全に自動化された安全な供給網であって、
メーカーから単品を受け取り、マーケットに前記単品を配送するための複数の流通センターと、
前記複数の流通センター間および流通センターと前記マーケットとの間の出荷のために単品を分類し、輸送するための前記複数の流通センターにおける複数のロボットと、
前記単品に関する識別情報をキャプチャするために前記複数のロボットに含まれるかまたはそれに関連付けられる複数の追跡センサと、
追跡システムであって、統一コマースエンジンを備え、前記統一コマースエンジンが少なくとも一つのプロセッサおよびコンピュータプログラムコードを含む少なくとも一つの非一過性のメモリを備え、前記統一コマースエンジンが前記メーカーからの単品の受け取りから前記マーケットにおける単品の販売および配送までの前記自動化された安全な供給網において単品を完全に追跡することにより前記自動化された安全な供給網のあらゆる段階において単品を確保するように構成される、前記追跡システムと、
を備える、完全に自動化された安全な供給網。
【請求項２８】
前記統一コマースエンジンがさらに前記自動化された安全な供給網に含まれる前記単品に関連して前記メーカーにデータを示すように構成される、請求項２７に記載の完全に自動化された安全な供給網。
【請求項２９】
前記データが前記単品の所在、在庫レベル、在庫速度および販売レベルを備える前記統一コマースエンジンにより示される、請求項２８に記載の完全に自動化された安全な供給網。
【請求項３０】
前記統一コマースエンジンがさらに前記自動化された安全な供給網に含まれる専用商品に関連するデータを分けて示すように構成され、前記データが供給網プロセス全体の内部およびあらゆる段階での前記自動化された安全な供給網における所在、在庫レベル、在庫速度および販売レベルを備える、請求項２７に記載の完全に自動化された安全な供給網。
【請求項３１】
前記複数の流通センターが地域流通センターおよびマーケットセンターを備える、請求項２７に記載の完全に自動化された安全な供給網。
【請求項３２】
単品が前記メーカーから前記地域流通センターまで、前記地域流通センターからマーケット流通センターまで、および前記マーケット流通センターから前記マーケットまで移動する、請求項３１に記載の完全に自動化された安全な供給網。
【発明の詳細な説明】
【技術分野】
【０００１】
［優先権の主張］
本出願は「ＩＮＶＥＮＴＯＲＹ ＭＡＮＡＧＥＭＥＮＴ ＳＹＳＴＥＭ ＡＮＤ ＭＥＴＨＯＤ」と題する、２０１７年２月２４日に出願された米国仮特許出願第６２／４６３，０１７号に基づく優先権を主張するものであり、当該出願の全体が参照により本明細書に組み入れられる。
【背景技術】
【０００２】
従来のセルフサービス店のチェーンでは、店舗の在庫を補充する最もコスト効率の高い方法は間違いなく「ケース（ｃａｓｅ）」によるもの、すなわち供給メーカーから受け取った製品の出荷ケースを店舗に供給することである。代わりとなるのは「単品（”ｅａｃｈ” ｏｒ ”ｅａｃｈｅｓ”）」で補充すること、すなわちケースの数量に満たない個々の製品単位で店舗に供給する方法であるが、この方法は非常にコストがかかるため、スーパーマーケットおよびハイパーマーケットのような大型店においてはパレット出荷で出荷されたケースを主な単位として補充することが一般的である。
【０００３】
従来の流通モデルでは小売店は流通センター（「ＤＣ」）でケースのパレットを受け取るが、その本質的な役割はその店舗で要求される（「注文」済みの）製品のケースの固有のセットを各店舗に定期的に出荷することにより店舗ネットワーク内の在庫を補充することである。ＤＣの大部分では、それらの注文はケースのパレットを通路に並べ、人間のオペレータが一つの製品パレットから別の製品パレットに移動して店舗から注文された単品のケース数を移す手動のケースピッキングプロセスを使用して処理され、店舗に出荷するために注文パレットに選択されたケースを載せる。これらのシステムは人間が介在することにより在庫の欠品が発生する点で安全な（ｓｅｃｕｒｅ）ものではない。ある程度のオートメーションを有するシステムでさえもメーカーから顧客まで単品を追跡するための効果的な追跡システムを有していない。
【発明の概要】
【０００４】
本開示技術は、概要を説明すると、追跡技術および統一コマースエンジン（ＵＣＥ）との組み合わせで完全に自動化された供給網を備えるシステムに関する。このようなシステムにより全ての商品（または単品）の正確な所在をメーカーの施設から顧客のバッグまで追跡することが可能になる。一例によると、この供給網は一または二以上の入ってくる（ｉｎｃｏｍｉｎｇ）パレットを引き取るように構成されたＲＤＣロボティックオートメーションを備えた地域流通センターを有する注文処理システムおよび商品の各ケースが共通の単品を含んでいる共通の商品のケースを複数有する単品のパレット、さらに商品の共通のケースを取り出し、格納するように構成されたＲＤＣロボティックオートメーション、さらに流通センターの注文に応答して一または二以上の出ていく（ｏｕｔｇｏｉｎｇ）パレットを提供するように構成されたＲＤＣロボティックオートメーションおよび混載された商品のケースを複数有する単品の出ていくパレット、出ていくパレットのうち一または二以上を受け取るように構成されたＭＤＣロボティックオートメーションを有するマーケット流通センターおよびさらに一または二以上の出ていくパレットから混載された商品のケースを取りだす用に構成されたＭＤＣロボティックオートメーション、ならびにさらにＭＤＣストレージシステム内の混載された商品のケースの各々から単品を取り出し、格納するように構成されたＭＤＣロボティックオートメーションおよびさらにマーケットの注文に応答して注文トートを満たすように構成されたＭＤＣロボティックオートメーションを備える。ＭＤＣロボティックオートメーションはさらにマーケットの販売速度に柔軟に一致する共通または異なる注文トートおよびサブトートを複数用いてマーケットの注文を処理するように構成される。
【０００５】
別の例によると、完全に自動化された供給網により単品が顧客のバッグに到達するまでメーカーがその所有権を保持することができる委託モデルが可能になる。小売店がメーカーに対して単品の所在および安全を保証することができないために彼らが所有権を持つ現在のシステムとは対照的である。
【０００６】
別の例によると、地域流通センターは複数のマーケット流通センターからの注文を処理する。
【０００７】
別の例によると、地域流通センターおよびマーケット流通センターは統合された流通センターを備える。
【０００８】
別の例によると、マーケット流通センターによりスケールがデカント（すなわち、ケースから様々なサイズのトート／サブトートへと移すこと）を自動化すること、およびパレット上のケースよりも密度の低いトート／サブトート内にある単品の出荷の輸送コストを最小化することが可能になる。例えば、混載されたケースはメーカーまたは地域流通センターからマーケット流通センターまでの長い運搬（例えば、数千マイル）のためにパレットで出荷され得る。マーケット流通センターでは、パレットはより密度が低いトートおよびサブトートに分解され、続いてマーケットに向けてより短い距離（例えば、数十マイル）を出荷される。
【０００９】
別の例によると、一般にマーケット流通センターおよび自動化された供給網により単品をマーケットの販売速度に一致したトート／サブトートでマーケットに出荷することが可能になる。これによりマーケットが迅速な補充、最小限の在庫を活用し、より小規模な店舗でより多くの製品（ＳＫＵ）を顧客に提供することが可能になる。これにより品揃えを制限するか、または店舗を大きくするかという現在のマーケットの重大な問題が解決される。品揃えが制限されると、彼らは顧客を失う。彼らが品揃えを増やす場合、ケースレベルで受け取った単品を格納するために店舗をより広くしなければならない。本技術を用いれば、マーケットは店舗を広げることなく品揃えを増やすことが可能である。
【００１０】
さらなる例によると、メーカーが彼らの製品のサイズを顧客に合わせて最適化し、トートおよびサブトートを使用することが一般的になると、彼らはトートおよびサブトートの内側に効率的に合わせるために彼らのパッケージを最適化するようになると予想される。
【００１１】
別の例によると、少なくとも一つのプロセッサおよびコンピュータプログラムコードを含む少なくとも一つの非一過性のメモリが提供され、少なくとも一つのメモリおよびコンピュータプログラムコードは少なくとも一つのプロセッサを用いて、近付いてくるパレットの取り込みからマーケット注文の配送まで実質的に常に商品のトレーサビリティを提供し、商品を自動的に確保および／または追跡するように構成される。
【００１２】
別の例によると、トートはサブトートを含む共通のトートを備える。
【００１３】
別の例によると、マーケットの注文は在庫の減少レベルに応答してマーケットからもたらされ、マーケットロボティックオートメーションは混載された単品を有する複数の注文トートにより処理されたマーケット注文を受け取るように構成され、マーケットロボティックオートメーションはさらにマーケットストレージ内の混載された単品を取り出し、格納するように構成され、マーケットロボティックオートメーションはさらにマーケットストレージシステムから単品を選択的に回収し、顧客の注文に応答して混載された単品についての複数の顧客の注文のうち一つの顧客の注文を処理するように構成される。
【００１４】
別の例によると、マーケットは小売店である。
【００１５】
別の例によると、マーケットは任意の好適な流通センターである。
【００１６】
別の例によると、複数の顧客が注文した混載された単品は一または二以上の冷凍ストレージトート、チルドストレージトートまたは生鮮品ピッキングトートの注文の統合を含む。
【００１７】
別の例によると、統一コマースエンジンは少なくとも一つのプロセッサおよびコンピュータプログラムコードを含む少なくとも一つの非一過性のメモリを備え、統一コマースエンジンは一または二以上のマーケットの在庫ストレージ容量に基づいて一または二以上のマーケットに対して最も高い数のＳＫＵを示すために一または二以上のマーケットのＳＫＵ速度を監視し、一または二以上のマーケットの在庫レベルを最適化するように構成される。
【００１８】
別の例によると、統一コマースエンジンは少なくとも一つのプロセッサおよびコンピュータプログラムコードを含む少なくとも一つの非一過性のメモリを備え、統一コマースエンジンはマーケットでの顧客の注文を通した地域流通センターでのケースレベルでの取り込みからの供給網プロセス全体のあらゆる段階で一または二以上の地域流通センターの在庫レベルおよび在庫速度ならびに一または二以上のマーケット流通センターへの補充および一または二以上のマーケットへの補充を監視し、最適化するように構成される。
【００１９】
別の例によると、統一コマースエンジンは少なくとも一つのプロセッサおよびコンピュータプログラムコードを含む少なくとも一つの非一過性のメモリを備え、統一コマースエンジンは自動化された供給網内で単品を確保し、販売のために地域流通センターでメーカーからパレットを受け取ることから顧客までの自動化された供給網内で単品を完全に追跡するように構成され、統一コマースエンジンはさらに供給網プロセス全体のあらゆる段階でメーカーが販売または配送の時点まで商品の所有権を維持し、メーカーが統一コマースエンジンを介して彼らの在庫をリアルタイムに見ることが可能な委託モデルが可能になるように構成される。
【００２０】
別の例によると、統一コマースエンジンは少なくとも一つのプロセッサおよびコンピュータプログラムコードを含む少なくとも一つの非一過性のメモリを備える。統一コマースエンジンは自動化された供給網内で単品を確保し、地域流通センターでメーカーからパレットを受け取ることから顧客への販売または配送までの自動化された供給網内で単品を完全に追跡するように構成される。統一コマースエンジンはさらに小売供給網内に含まれるメーカーの商品に関連するデータをメーカーに示すように構成され、データは所在、在庫レベル、在庫速度、販売レベルを含み、その他供給網プロセス全体の内部またはあらゆる段階の小売供給網内の商品に関連する。統一コマースエンジンはさらに小売供給網内に含まれる商品の全てに関連するデータを示すように構成され、データは所在、在庫レベル、在庫速度、販売レベルを含み、その他供給網プロセス全体の内部またはあらゆる段階の小売供給網内の商品に関連する。統一コマースエンジンはさらに小売供給網内に含まれる分離された商品に関連するデータを分けて示すように構成され、データは所在、在庫レベル、在庫速度、販売レベルを含み、その他供給網プロセス全体の内部またはあらゆる段階の小売供給網内の商品に関連し、分離された商品はマーケット別データ、メーカー別データ等の関係性等により分けられる。
【図面の簡単な説明】
【００２１】
【図１】本実施形態の態様に基づくステップを実施するための例示的なシステムである。
【図２】プロセスフローダイアグラムである。
【図２−１】プロセスフローダイアグラムである。
【図３】例示的なシステムである。
【図４】マーケット流通センターである。
【図５】マーケットプロセスのための自動化された流通センターである。
【図６】自動化されたデカントである。
【図７】自動化されたデカントである。
【図８】サブトートを移すためのシステムである。
【図９】トートを移すためのシステムである。
【図１０】補充システムである。
【図１１】手動のデカンティングシステムである。
【図１２】サブトートを移すシステムである。
【図１３】サブトートを移すシステムである。
【図１４】単品のピッキングワークステーションである。
【図１５】単品のピッキングワークステーションである。
【図１６】完成した注文のストレージを示している。
【図１７】注文の統合を示している。
【図１８】注文の配送を示している。
【図１９】注文の配送を示している。
【発明を実施するための形態】
【００２２】
図１を参照すると、本実施形態の態様に基づくステップを実行するための例示的なシステム１０が示されている。本実施形態は例示の実施形態または図面中に示されている実施形態を参照して説明されるが、多くの代替となる形態によって実施することが可能になることを理解されるべきである。当業者においては、本発明の主旨および範囲を維持したまま、開示された実施形態のパラメータを変えるための異なる方法をさらに理解されるであろう。
【００２３】
本開示の実施形態は、「Ａｕｔｏｍａｔｅｄ Ｓｙｓｔｅｍ ｆｏｒ Ｔｒａｎｓｐｏｒｔｉｎｇ Ｐａｙｌｏａｄｓ」と題する米国特許第９，１３９，３６３号、「Ａｕｔｏｍａｔｅｄ Ｓｙｓｔｅｍ ｆｏｒ Ｔｒａｎｓｐｏｒｔｉｎｇ Ｐａｙｌｏａｄｓ」と題する米国特許第９，５９８，２３９号、「Ｓｔｏｒａｇｅ ａｎｄ Ｒｅｔｒｉｅｖａｌ Ｓｙｓｔｅｍ」と題する２０１６年６月２日に出願された米国特許出願第１５／１７１，８０２号、「Ｏｒｄｅｒ Ｆｕｌｆｉｌｌｍｅｎｔ Ｓｙｓｔｅｍ」と題する２０１７年５月１０日に出願された米国特許出願第１５／５９１，９５６号、「Ｏｒｄｅｒ Ｆｕｌｆｉｌｌｍｅｎｔ Ｓｙｓｔｅｍ」と題する２０１７年１１月１７日に出願された米国特許出願第１５／８１６，８３２号、「Ｓｙｓｔｅｍ ａｎｄ Ｍｅｔｈｏｄ ｏｆ Ｒｏｂｏｔ Ｔａｓｋ Ａｓｓｉｇｎｍｅｎｔ ａｎｄ ｍａｎａｇｅｍｅｎｔ」と題する２０１８年１月１０日に出願された米国特許出願第１５／８６７，３７３号、「Ｉｎｖｅｎｔｏｒｙ Ｍａｎａｇｅｍｅｎｔ Ｓｙｓｔｅｍ」と題する２０１７年１１月２９に出願された米国特許出願第１５／８２６，０４５ 号、「Ａｕｔｏｍａｔｅｄ Ｐｒｏｘｙ Ｐｉｃｋｅｒ Ｓｙｓｔｅｍ ｆｏｒ Ｎｏｎ−Ｆｕｎｇｉｂｌｅ Ｇｏｏｄｓ」と題する２０１８年１月３１日に出願された米国特許出願第１５／８８４，６７７号、および「Ｐａｃｋｉｎｇ ｂｙ Ｄｅｓｔｉｎａｔｉｏｎ ｆｏｒ Ａｕｔｏｍａｔｅｄ Ｆｕｌｆｉｌｌｅｄ Ｇｏｏｄｓ」と題する２０１８年１月３１日に出願された米国特許出願第１５／８８４，９３８号に開示される装置および方法を活用し得る。
【００２４】
本開示の実施形態によると、自動化された小売供給網によりマーケット在庫の低減、商品レベルでのトレーサビリティおよびメーカー委託が可能になる。ここで、マーケット速度（単品の販売レート）のサイズに一致したサブトートの迅速な補充により、マーケットが手元の在庫を減少させ、マーケットが彼らの店の速度に一致していないケースレベルまたはパックをばらしたレベルで単品を受け取るのとは対照的に、同じかまたはより小さな施設でより高い数のＳＫＵを提供することが可能になる。ここで、単品は地域流通センター（ＲＤＣ）でメーカーからのパレットの受け取りから注文バッグで顧客に販売するまでの完全なトレーサビリティを有する自動化された供給網内で確保される。このような自動化された供給網によりメーカーが販売または配送の時点まで商品の所有権を維持し得る委託モデルが可能になる。さらに、メーカーは供給網プロセス全体のあらゆる段階で統一コマースエンジンを介して彼らの在庫をリアルタイムに見ることが可能である。メーカーは顧客の傾向およびデータへアクセスすることができる。図１に見られるように、パレタイズされた商品のケース１２は以下でさらに説明されるように、一または二以上の地域流通センター（ＲＤＣ）１４で受け取られ、地域流通センター（ＲＤＣ）１４はマーケット流通センター（ＭＤＣ）１８にパレタイズされた商品のケース１６を供給し、マーケット流通センター（ＭＤＣ）１８は同様の単品を様々なサイズのサブトート２４にデカントして格納し、混載された単品サブトート２０、２２が含まれているトートをマーケット２６に供給する。別の方法として、出荷は、マーケット流通センターを備えていないか、または地域流通センターの機能とマーケット流通センターの機能とが組み合わせられ得る流通センターから直接、トートで店またはマーケットに対してなされる。マーケット流通センターにより、自動化されたデカンティングを行うのに十分なスケールが可能になるだけでなく、例えば大都市圏のような限られた地域へのトートおよびサブトートでの輸送コストが制限される。パレット上に密集したパックケースでの単品のより効率的な出荷は地域流通センターとマーケット流通センターとの間で維持することができる。マーケット流通センターはさらにマーケットに定期的に格納されてない次の迅速な補充配送でマーケットに配送するために顧客が注文する可能性のある商品の幅広い品揃えを格納するための性能を提供する。
【００２５】
図２を参照すると、プロセスフローダイアグラム５０が示されている。５２において、メーカーは地域流通センター（ＲＤＣ）に単品のケースを含んでいる一または二以上のパレットを出荷する。５４において、パレットＩＤがケースデータと共に収集され、統一コマースエンジン（ＵＣＥ）に格納される。パレット、ケースおよび商品のＩＤはバーコードラベル、ＲＦＩＤタグ、または同等の追跡システムであり得る。５６において、自動化されたストレージおよび回収システム（ＡＳ／ＲＳ）、アルファボットパレットボットを使用してパレットを受け取る。５８において、マーケット流通センター（ＭＤＣ）からケース補充の注文を受け取る。６０において、ストレージからケースを含んでいるパレットが自動的に回収される。６２において、ロボットが「多品種パレット（Ｒａｉｎｂｏｗ Ｐａｌｌｅｔ）」を生成するためのケースの層または「混載パレット（Ｍｉｘｅｄ Ｐａｌｌｅｔ）」を生成するための個々のケースをピッキングする。６４において、多品種パレットまたは混載パレットのＩＤが生成され、ケースデータと共にＵＣＥに格納される。６６において、多品種ケースパレットまたは混載ケースパレットをＭＤＣで受け取る。６８において、供給されたマーケットの単品速度に基づいて、ＵＣＥによりサブトートあたりの単品の流通（サブトートサイズ）が計算される。７０において、アルファボットシステムを用いてＭＤＣのサブトートサイズおよびトートの流通にケースが自動的にデカントされる。７２において、関連する元の（ｐａｒｅｎｔ）ケースおよびパレットＩＤ、そしてサブトートＩＤおよびトートＩＤと共に単品のデータがＵＣＥに格納される。７４において、サブトートを含んでいるトートがアルファボットシステムに格納され、対応する所在がＵＣＥに格納される。７６において、マーケットからサブトート（単品）補充の注文を受け取る。７８において、ボットがピッキングワークステーションにサブトートを含んでいる製品トート（Ｐトート）および空の注文トート（Ｏトート）を回収する。８０において、ＰトートからＯトートに自動的にサブトートが移される。８２において、サブトートおよび単品の所在がＵＣＥに格納される。８２において、全ての上流の元のケースとパレットデータとの関係が保存される。決定８４において、ＯトートはＰトートでいっぱいか？Ｙｅｓ８６の場合、次に９０に進む。Ｎｏ８８の場合、次に８０に進む。９０において、ボットが混載されたＳＫＵ Ｏトートをラックに輸送してそのラックにそのトートを積むか、あるいはパレットに積み重ねるためにロボットに示す。９２において、トートパレットＩＤが生成され、トート、サブトート、単品および元のデータと共にＵＣＥに格納される。決定９４において、パレットはＯトートでいっぱいか？Ｙｅｓ９６の場合、次に１００に進む。Ｎｏ９８の場合、次に９０に進む。１００において、マーケットに出荷するためにラックあるいはＯトートのパレットをトラックに積む。１０２において、マーケットでラックあるいはＯトートのパレットを受け取り、トートがマーケットアルファボットシステムに自動的に移される。１０４において、全ての上流の元のケースとパレットデータとの関係が保存されているＵＣＥにサブトートおよび単品の所在が格納される。１０６において、顧客の注文を受け取り、ピッキングのために予定が組まれる。１０８において、マテリアル制御システム（ＭＣＳ）により注文バッグパッキング流通およびシーケンスが計算される。１１０において、ボットがピッキングワークステーションに注文された単品のサブトートを含んでいるＰトートおよび空の注文バッグを含んでしているＯトートを回収する。１１２において、マシンビジョン追跡を用いる自動化された方法または手動の方法のいずれかでＰトートのサブトートからＯトートの注文バッグに単品が移される。１１４において、全ての元のデータの関係が保存されているＵＣＥに注文バッグ内の単品の所在が格納される。決定１１６において、全ての単品が注文バッグに移されたか？Ｙｅｓ１１８の場合、次に１２２に進む。Ｎｏ１２０の場合、次に１１０に進む。決定１２２において、顧客配送が予定されたか？Ｙｅｓ１２４の場合、次に１３２に進む。Ｎｏ１２６の場合、次に１２８に進む。１２８において、アルファボットシステムに注文バッグを含んでいる注文トートが格納される。１３０において、注文の所在、ならびに全ての単品および関連する元のデータがＵＣＥに格納される。１３２において、顧客への配送時にボットが注文バッグを含んでいるＯトートを回収し、顧客のカートまたは車に輸送する。１３４において、全ての元の所在データおよび履歴がその商品のメーカーに利用可能であるＵＣＥに注文の完了（販売）が格納される。１３６において、小売店がメーカーに合意した小売マージンを差し引いて、販売された単品の支払いをする。本開示の方法では、供給されたマーケットの単品の速度に基づいて、ＵＣＥによりサブトートあたりの単品の流通（サブトートのサイズ）が計算される。ＵＣＥが縮小レートのモニタまたは速度変化の縮小レートのモニタを採用し得る場合、所与のＳＫＵの速度の関数として単品の流通、補充用の透かしおよび補充レートがＵＣＥによって修正され得る。ここで、所与のマーケットまたは店舗における所与のＳＫＵの在庫レベルは速度の関数として可変である最適化された透かしにおいて維持され得るか、そうでなければストレージエリア等に基づいて最大数のＳＫＵを示すために最適化し得る。
【００２６】
メーカーが彼らの製造工場を出る時点から全ての単品の所在を認識していることに加え、顧客に配送されるまでは、メーカーは全ての所在における彼らの製品販売の速度、顧客の購買傾向およびデータを決定するためにＵＣＥデータベースにアクセスし得る。メーカーは彼らの製造予定、出荷予定、地域別の製品提供、および例えばフレーバー、サイズ、バンドル等の製品属性を最適化するためにほぼリアルタイムのＵＣＥのデータを活用し得る。
【００２７】
図３を参照すると、例示的なシステム１５０が示されている。説明されるように、統一コマースエンジン１５２は在庫レベルおよび流通を一元的に管理し、追跡し得る。システム１５０はシステム、プロセス、および統合を識別する稼働マニュアル１５４を有し得る。モバイル上の顧客１５６にはＵＣＥ１５２または他のＵＩ、例えばマーケットＵＩまたは店舗ＵＩとインタフェースをとるアンビエントＡＩ、電話ＵＩ、タブレットＵＩ、およびＰＣ ＵＩまたは他の好適なＵＩが提供され得る。電話ＵＩ、商品リーダ、ラージスクリーンＵＩ、スケール、チェックアウトキオスク、関連するＵＩ、注文の分類（ｓｔａｇｉｎｇ）および統合、手動ピッキングマネージャーの新しいＳＭＡＲＴ店舗ＭＣＳ、およびアルファボットストレージシステムが提供され得る。アナリティクス１６０がさらに提供され得る。注文、顧客、在庫および製品１６２はＵＣＥ１５２とさらにインタフェースをとり得る。アルファボットストレージおよび回収システム、ＤＣ ＭＣおよび新しい倉庫マネジメントシステム（ＷＭＳ）を備えるＭＤＣ１６４はＵＣＥ１５２とさらにインタフェースをとり得る。ＲＤＣ１６６および小売企業システム１６８はＵＣＥ１５２とさらにインタフェースをとり得る。
【００２８】
図４を参照すると、マーケット流通センター２００が示されている。ケースのパレット２０２はデカンティングステーション２０４でサブトートにデカントされる。ストレージ装置２０６はサブトートの有無にかかわらずトートを格納する。製品トートは注文トートステーション２０８に向かう製品トートにおいて注文を処理するためにピッカーに提示される。注文トートはトラックで輸送するため、そうでなければ注文を処理するためにポータブルラック２１０に積まれる。
【００２９】
図５を参照すると、マーケットプロセスのための自動化されたマーケット流通センター２５０が示されている。このプロセスは受け取り２５２、注文処理２５４、および店舗への補充２５６の三つのエリアに分けられる。２５８において、供給トラックが自動化されたＤＣに到着する。２６０において、パレットＩＤのスキャンが実行される。２６２において、供給トラックから自動化されたデカントステーションにパレットを輸送する。２６４において、ＳＫＵが分かっているか？Ｙｅｓ２６８の場合、次に２７２に進む。Ｎｏ２７０の場合、次に２７４に進む。２７２において、ＭＳＲＱ（最小安全補充数量）に基づいて最適なサブトート流通が決定される。２７４において、ＳＫＵおよびケース属性をキャプチャする。２７６において、可変サイズのサブトートの重なりからサブトートを選択する。２７８において、ケースを開ける。２８０において、全ての単品をケースからサブトートに移す。２８２において、空のケースを処分する。２８４において、サブトートを製品トートに配置する。決定２８６において、製品トートはいっぱいか？Ｙｅｓ２８８の場合、次に２９２に進む。Ｎｏ２９０の場合、次に２６４に進む。２９２において、（製品トート）Ｐトートをストレージ構造に納める。２９４において、自動化されたピッキングステーションにＰトートを輸送する。２９６において、個々の店舗のＳＲＱ（安全補充数量）に基づいてＰトートから（注文トート）Ｏトートにサブトートを移す。２９８において、Ｐトートをストレージ構造に戻す。決定３００において、Ｏトートはいっぱいか？Ｙｅｓ３０２の場合、次に３０６に進む。Ｎｏ３０４の場合、次に２９４に進む。決定３０６において、その注文は直ちに配送されるか？Ｙｅｓ３０８の場合、次に３１２に進む。Ｎｏ３１０の場合、次に３１４に進む。３１２において、移動型ストレージラックにＯトートを輸送する。３１４において、ストレージ構造内にＯトートを輸送する。決定３１６において、ストレージラックはいっぱいか？Ｙｅｓ３１８の場合、次に３２２に進む。Ｎｏ３２０の場合、次に３１２に進む。３２２において、配送トラックに移動型ストレージラックを輸送する。３２４において、配送トラックが自動化された店舗に到着する。３２６において、自動化された店舗で移動型ラックをストレージ構造に納める。
【００３０】
図６を参照すると、マーケット流通センターにおける自動化されたデカントステーション３５０が示されている。また図７を参照すると、マーケット流通センターにおける自動化されたデカントステーション３５０が示されている。ケースを備えたパレット３５２が最初にデカントステーションに導入される。第一のロボットアーム３５４はケースをピッキングしてボックスカッター３５６を用いてそれらを配置し、ボックスカッター３５６は段ボールを取り出して単品３５８を露出させる。第二のロボットアーム３６０は段ボールコンベア３６２がボックスカッターからの段ボールを処理する間、単品をピッキングする。可変サイズのサブトート３６４は適切な数の単品が積まれ、製品トートとしてストレージ装置３６８に納められるトート３６６の内部に提供される。
【００３１】
図８を参照すると、マーケットトートの注文をまとめるためのサブトートを移すためのシステムまたはステーション４００が示されている。ここで、移動型ロボット４０２は製品トートおよび注文トート４０４をロボット４０６に移動させ、ロボット４０６は製品トートからサブトートをピッキングし、そのサブトートをマーケット注文トートに選択的に置く。
【００３２】
図９を参照すると、マーケットＤＣからマーケットにロットを移すためのトートを移すためのシステム４５０が示されている。ラックが示されているが、その代わりにトートはラックを使用するのではなくトートベイルアームを使用してパレットに直接積み重ねることができる。ストレージ装置４５２は製品トートおよび注文トートを格納する。ポータブルラック４５６はマーケットの注文、例えばトートとサブトートとの組み合わせ４５８を作り上げるための注文トートを備える、移動型ロボット４５４によって積まれ得る。トラック４６０、４６２は手動で、または移動型ロボット４６４によって積まれ得るラックを輸送するために提供される。
【００３３】
図１０を参照すると、ラックから流通センターへの補充のための補充システムまたはステーション４８０が示されている。ラックが示されているが、その代わりにトートはラックを使用するのではなくトートベイルアームを使用してパレットに直接積み重ねることができる。トラック４８２はラック４８４、４８６を提供することができ、レール構造４９０上で動作している移動型ロボット４８８はストレージ構造４９２を補充するためにラックからトートをピッキングし得る。
【００３４】
図１１を参照すると、マーケットＤＣデカンティングを用いない別の実施形態として、マーケットでのケースの受け取りおよび手動デカンティングのための手動デカンティングシステムまたはステーション５００が示されている。ここで、パレタイズされたケース５０２をオペレータ５０４がデパレタイズしてもよく、サブトート５０６にオペレータ５０８がデパレタイズしたケースから単品を積まれてもよい。サブトートはトート５１２に積まれてもよく、移動型ロボット５１０はストレージ装置５１４に納められるトート５１２をピッキングしてもよい。
【００３５】
図１２を参照すると、システムデフラグメンテーションのために自動化されたサブトートを移すためのサブトートを移すシステムまたはステーション５３０が示されている。別の態様では、このシステムはロボットの代わりにオペレータによる手動のシステムとすることができる。移動型ロボット５３０は輸送およびストレージ装置５３４からトート５３２を提供される。ロボット５３６はトートストレージのデフラグメンテーションのために空のサブトートをトートに統合するために提供され、システム内部のストレージ密度を上昇させる。
【００３６】
図１３を参照すると、ストレージ構造５７２内部のシステムデフラグメンテーションのために自動化されたサブトートを移すための別のサブトートを移すシステム５７０が示されている。ここで、移動型ロボット５７４はサブトート５８４をトートからトートに移すように適合されたデカルトピッキング（ｃａｒｔｅｓｉａｎ ｐｉｃｋ）および配置ロボット５８２を有するステーションにトート５７６、５７８、５８０を提供する。ロボット８６２はサブトートをピッキングまたはリリースし、Ｚ、ＸおよびＹ軸に沿って動かすために選択的に作動させることのできるグリッパー５８６を有する。
【００３７】
図１４を参照すると、自動化された単品のピッキングワークステーション６００が示されている。移動型ロボット６０２はレール６０４、６０６上および垂直面６０８上で移動可能に提供される。ロボット６１４は単品を有するトート６１０に選択的にアクセスし、このトートは輸送されてデッキまたはストレージ６１２内部に格納され、ロボット６０２によって選択的にアクセス可能である。
【００３８】
図１５を参照すると、手動での単品のピッキングワークステーション６３０が示されている。移動型ロボット６３２はレール６３４、６３６上および垂直面６３８上で移動可能に提供される。オペレータ６４４は単品６４８を有するトート６４０に選択的にアクセスし、このトートは輸送されて輸送デッキまたはストレージ６４２内部に格納され、ロボット６３２によって選択的にアクセス可能である。ＵＩ６５０および方向光ビーム６５２はオペレータまたはピッカー６４４に指示するために提供され得る。
【００３９】
図１６を参照すると、完成した注文ストレージシステム６６０が示されている。ストレージ構造６６２には移動型ロボット６６４、垂直面６６６を有するかまたは有しない輸送デッキ６６６、およびピッキングワークステーション６６８が提供される。
【００４０】
図１７を参照すると、注文の統合７００が示されている。移動型ロボットは配送７１０のために生鮮品がピッキングされたトート７０４、アンビエント注文トートおよびチルド注文トート等のチルドストレージトート７０６、および冷凍注文トート等の冷凍ストレージトート７０８を統合する。
【００４１】
図１８を参照すると、カート７４２による注文の配送が示されている。ここで、移動型ロボット７４４はストレージ装置７４８からカート７４２にトート７４６を選択的に提供する。
【００４２】
図１９を参照すると、移動型ロボット７７２による注文の配送７７０が示されている。ここで、ストレージ構造からのレール７７４はロボット７７２によって活用され、トート７８０は例えば車両７８２によるピックアップのためにストレージから積み込みステーション７７６、７７８に配送される。
【００４３】
本明細書で活用されるように、「備える（ｃｏｍｐｒｉｓｅ）」および「備えている（ｃｏｍｐｒｉｓｉｎｇ）」という用語は、排他的ではなく、包括的であると解釈されることを意図している。本明細書で活用されるように、「模範的な（ｅｘｅｍｐｌａｒｙ）」、「例（ｅｘａｍｐｌｅ）」、および「例示的な（ｉｌｌｕｓｔｒａｔｉｖｅ）」という用語は、「例（ｅｘａｍｐｌｅ）、実例（ｉｎｓｔａｎｃｅ）、または例示（ｉｌｌｕｓｔｒａｔｉｏｎ）として役立つこと」を意味することを意図しており、他の構成に対して好ましいかもしくは有利な構成を示すもの、または示さないものとして解釈されるべきではない。本明細書で活用されるように、「約（ａｂｏｕｔ）」および「およそ（ａｐｐｒｏｘｉｍａｔｅｌｙ）」という用語は、特性、パラメータ、サイズ、および寸法変動のような、主観的または客観的な値の上下限内に存在し得るバリエーションを網羅することを意図している。一つの非限定的な例では、「約」および「およそ」という用語は、プラス１０パーセント以内、またはマイナス１０パーセント以内を意味する。一つの非限定的な例では、「約」および「およそ」という用語は、含まれる関連分野における当業者が考えるものに十分に近いことを意味する。本明細書で活用されるように、「実質的に（ｓｕｂｓｔａｎｔｉａｌｌｙ）」という用語は、当業者によって理解されるように行動、特徴、特性、状態、構造、商品、または結果の完全またはほぼ完全な範囲または程度を指す。例えば、「実質的に」円形のオブジェクトとはオブジェクトが数学的に決定可能な限界まで完全な円形であるか、または当業者によって認識または理解されるようなほぼ円形のいずれかであることを意味する。絶対的な完全性からの正確に許容される逸脱の程度は固有の文脈に依存する場合がある。しかしながら、一般に、完了の近さは絶対的かつ全体的な完了が達成されたかまたは得られたのと同じ全体的な結果を有するようになる。「実質的に」の使用は当業者によって理解されるように、行動、特徴、特性、状態、構造、商品、または結果の完全またはほぼ完全な欠陥を指すために否定的な意味合いで活用される場合には等しく適用可能である。
【００４４】
さらに、「ロボット（ｒｏｂｏｔ）」および「ボット（ｂｏｔ）」という用語は、それらの従来の意味、具体的には有用なマシンまたはデバイス、すなわち、色々なタスク、割当て、指示等の能力のために様々なプログラムされた動作を通して材料、部品、道具、または特殊用途のデバイスを動かすことのできるプログラム可能で多機能なデバイス、および／または単純または複雑な一連の行動を実行することのできるマシンまたはデバイス、および／または他の方法で人の仕事である場合とそうでない場合があるタスクを実行することのできるマシンまたはデバイス、および／または人の相互作用の支援無しに、タスクを実行し、その環境に相互作用することのできるプログラム可能な機械的なデバイスであり得るマシンまたはデバイス、および自動的に動作するかまたはコンピュータによって制御することのできるマシンまたはデバイスに従って本明細書において交換可能に活用される。
【００４５】
本明細書において特に注釈や定義がなされない限り、本開示および図面は従来のＸ、ＹおよびＺの三次元座標軸システムに関連して説明され、Ｘ方向は一般に左−右または東−西であり、Ｙ方向は一般に書類のページ面に対して内−外であり、Ｚ方向は一般にページ上の上−下または北−南である。本明細書でさらに説明されるように、「水平の（ｈｏｒｉｚｏｎｔａｌ）」および「垂直の（ｖｅｒｔｉｃａｌ）」という用語は、当業者によって理解されるように、そして一般に説明されまた以下で展開されるようにそれらの従来の定義に一致して活用される。例えば、物理学、工学、および建設の分野では、垂直であるとされる方向は通常は重力に応答して錘が垂れ下がるのに沿う。水平方向は垂直面に垂直または直行する線または平面に沿うとみなされる。そのため、水平方向に（水平に）動かすことは地球に沿って例えば前、後ろ、左、右等に動いて地球の表面を横断することに事実上等しく、一方、垂直方向に（垂直に）動かすことは上へ（地面から離れて）または下へ（地面に向かって、または地中へ）動かすことに事実上等しい。Ｘ、Ｙ、Ｚ座標アクセスを垂直および水平という用語と統合すると、Ｚ軸は垂直方向にあり、ＸおよびＹ軸は水平面にあり、垂直なＺ軸はそれに直交する。上記の説明の固有の表現によって曖昧さが生じる限り、そのような曖昧さは水平および垂直という用語の従来の解釈と一致して解釈および明確化され得ることが予想される。
【００４６】
本発明の多数の修正および別の実施形態は上記の説明に鑑みて当業者に明らかになるであろう。したがって、この明細書は例示としてのみ解釈され、本発明を実行するための最良のモデルを当業者に教示する目的のためのものである。構造の詳細は本発明の精神から実質的に逸脱することなく変化する可能性があり、添付の特許請求の範囲内にある全ての修正の排他的な使用が留保される。本明細書内で、実施形態は明確かつ簡潔な明細書を書くことができる方法で説明されたが、実施形態は本発明から逸脱することなく様々に組み合わせ、または分離できることを意図しており、またそれを理解されたい。本発明は添付の特許請求の範囲および適用可能な法律の規則によって要求される範囲にのみ限定されることを意図している。
【図１】
2020508526.tif 000003
【図２】
2020508526.tif 000004
【図２−１】
2020508526.tif 000005
【図３】
2020508526.tif 000006
【図４】
2020508526.tif 000007
【図５】
2020508526.tif 000008
【図６】
2020508526.tif 000009
【図７】
2020508526.tif 000010
【図８】
2020508526.tif 000011
【図９】
2020508526.tif 000012
【図１０】
2020508526.tif 000013
【図１１】
2020508526.tif 000014
【図１２】
2020508526.tif 000015
【図１３】
2020508526.tif 000016
【図１４】
2020508526.tif 000017
【図１５】
2020508526.tif 000018
【図１６】
2020508526.tif 000019
【図１７】
2020508526.tif 000020
【図１８】
2020508526.tif 000021
【図１９】
2020508526.tif 000022
【国際調査報告】
2020508526.tif 000023
2020508526.tif 000024